(57)【特許請求の範囲】
【請求項１】
略矩形の底パネルと、
該底パネルの左右両側にそれぞれ第１折曲補助線を介して連続して設けられる略矩形の第１外側パネルと、
該それぞれの第１外側パネルと第２折曲補助線を介して連続して設けられる略矩形の第１額縁パネルと、
該それぞれの第１額縁パネルと第３折曲補助線を介して連続して設けられる略矩形の第１内側パネルと、
該それぞれの第１内側パネルと第４折曲補助線を介して連続して設けられる略矩形の糊代パネルと、
前記底パネルの前後両側にそれぞれ第５折曲補助線を介して連続して設けられる略矩形の第２外側パネルと、
該それぞれの第２外側パネルと第６折曲補助線を介して連続して設けられる略矩形の第２額縁パネルと、
該それぞれの第２額縁パネルと第７折曲補助線を介して連続して設けられる略矩形の第２内側パネルとを備え、
前記第１額縁パネルを前記第２折曲補助線にて前記第１外側パネルに折り畳んだ後、前記糊代パネルを前記底パネルの前記第１折曲補助線近傍に貼着し、
前記第１外側パネルを裏面側から押し立てることで、前記第１折曲補助線にて前記底パネルと前記第１外側パネルとが略直角に折り曲げられ、前記第３折曲補助線にて前記第１額縁パネルと前記第１内側パネルとが略直角に折り曲げられ、さらに、前記第４折曲補助線にて前記第１内側パネルと前記糊代パネルとが略直角に折り曲げられて一対の第１二重側面が形成され、
続けて、前記第２外側パネルを前記第５折曲補助線にて前記底パネルに対して折り曲げて略直立させ、前記第２額縁パネルを前記第６折曲補助線にて前記第２外側パネルに対して略直角に折り曲げ、前記第２内側パネルを前記第７折曲補助線にて前記第２額縁パネルに対して略直角に折り曲げることで一対の第２二重側面が形成される額縁付箱において、
前記第１二重側面を構成する前記第１内側パネルに、前記第４折曲補助線を切断するように切り欠き部を複数設け、
前記切り欠き部の形状が、前記第４折曲補助線側にて幅が広く、該第４折曲補助線から遠ざかるにつれて幅が狭くなり、
前記切り欠き部の、前記第４折曲補助線から最も遠い部分が円弧状に構成されることを特徴とする、額縁付箱。
【請求項２】
前記第１内側パネルの、前記隣接する切り欠き部の間に補強部を形成することを特徴とする、請求項１に記載の額縁付箱。
【請求項３】
前記補強部が複数のエンボスからなり、
該エンボスは、前記第１内側パネルの前記第１外側パネルとは反対側に突出して形成されることを特徴とする、請求項２に記載の額縁付箱。
【請求項４】
前記補強部が押罫からなり、
該押罫は、前記第１内側パネルの前記第１外側パネルとは反対側に突出して形成されることを特徴とする、請求項２に記載の額縁付箱。
【請求項５】
前記第１外側パネルを裏面側から押し立てて前記第１二重側面を形成する際に、前記第１外側パネルを前記第１折曲補助線にて前記底パネルに対して略直角に折り曲げやすくするための折曲補助片を備え、
該折曲補助片を前記切り欠き部の下方で、かつ、前記糊代パネルに連続して設けることを特徴とする、請求項１乃至４のいずれか１項に記載の額縁付箱。
【発明の詳細な説明】
【技術分野】
【０００１】
本発明は、内側パネルと外側パネルとで構成される２対の二重側面を備える額縁付箱に関する。
【背景技術】
【０００２】
従来、１枚のブランク紙を折り畳んで形成する額縁付箱は、矩形の底パネルと、第１内側パネル、第１額縁パネル、第１外側パネルとで構成される１対の第１二重側面と、第２内側パネル、第２額縁パネル、第２外側パネルとで構成される１対の第２二重側面などで構成される。
【０００３】
このような額縁付箱を組み立てる際には、まず、それぞれの第１外側パネルと第１額縁パネルとの境界に形成された第２折曲補助線にて第１額縁パネルおよび第１内側パネルを第１外側パネルに向けて折り畳む。そして、第１内側パネルの先端に形成された糊代パネルを底パネルに貼着する。次に、第１外側パネルを裏面側から押し立てることで、第１折曲補助線にて底パネルと第１外側パネルとが略直角に折り曲げられ、第３折曲補助線にて第１額縁パネルと第１内側パネルとが略直角に折り曲げられ、さらに第４折曲補助線にて第１内側パネルと糊代パネルとが略直角に折り曲げられて一対の第１二重側面が形成される。
【先行技術文献】
【特許文献】
【０００４】
【特許文献１】特開２０００−７９９３８号公報
【発明の概要】
【発明が解決しようとする課題】
【０００５】
しかし、このような従来の額縁付箱では、第１二重側面を形成するに際し、第１外側パネルを裏面側から押し立てようとすると、第１内側パネルと糊代パネルとを第４折曲補助線に沿って略直角に十分に折り曲げることができず、第１二重側面を所望の形状に形成することができなかった。したがって、容易に額縁付箱を形成することができないという問題があった。これは、第４折曲補助線に沿った折り曲げ強度が強すぎることに起因するものであった。そこでこの発明の目的は、組み立てが容易な額縁付箱を提供することにある。
【課題を解決するための手段】
【０００６】
このため請求項１に記載の発明は、略矩形の底パネルと、
該底パネルの左右両側にそれぞれ第１折曲補助線を介して連続して設けられる略矩形の第１外側パネルと、
該それぞれの第１外側パネルと第２折曲補助線を介して連続して設けられる略矩形の第１額縁パネルと、
該それぞれの第１額縁パネルと第３折曲補助線を介して連続して設けられる略矩形の第１内側パネルと、
該それぞれの第１内側パネルと第４折曲補助線を介して連続して設けられる略矩形の糊代パネルと、
前記底パネルの前後両側にそれぞれ第５折曲補助線を介して連続して設けられる略矩形の第２外側パネルと、
該それぞれの第２外側パネルと第６折曲補助線を介して連続して設けられる略矩形の第２額縁パネルと、
該それぞれの第２額縁パネルと第７折曲補助線を介して連続して設けられる略矩形の第２内側パネルとを備え、
前記第１額縁パネルを前記第２折曲補助線にて前記第１外側パネルに折り畳んだ後、前記糊代パネルを前記底パネルの前記第１折曲補助線近傍に貼着し、
前記第１外側パネルを裏面側から押し立てることで、前記第１折曲補助線にて前記底パネルと前記第１外側パネルとが略直角に折り曲げられ、前記第３折曲補助線にて前記第１額縁パネルと前記第１内側パネルとが略直角に折り曲げられ、さらに、前記第４折曲補助線にて前記第１内側パネルと前記糊代パネルとが略直角に折り曲げられて一対の第１二重側面が形成され、
続けて、前記第２外側パネルを前記第５折曲補助線にて前記底パネルに対して折り曲げて略直立させ、前記第２額縁パネルを前記第６折曲補助線にて前記第２外側パネルに対して略直角に折り曲げ、前記第２内側パネルを前記第７折曲補助線にて前記第２額縁パネルに対して略直角に折り曲げることで一対の第２二重側面が形成される額縁付箱において、
前記第１二重側面を構成する前記第１内側パネルに、前記第４折曲補助線を切断するように切り欠き部を複数設けることを特徴とする。
【０００７】
請求項１に記載の発明は、さらに、前記切り欠き部の形状が、前記第４折曲補助線側にて幅が広く、該第４折曲補助線から遠ざかるにつれて幅が狭くなるように構成されることを特徴とする。
【０００８】
請求項１に記載の発明は、さらに、前記切り欠き部の、前記第４折曲補助線から最も遠い部分が円弧状に構成されることを特徴とする。
【０００９】
請求項２に記載の発明は、請求項１に記載の額縁付箱において、前記第１内側パネルの、前記隣接する切り欠き部の間に補強部を形成することを特徴とする。
【００１０】
請求項３に記載の発明は、請求項２に記載の額縁付箱において、前記補強部が複数のエンボスからなり、
該エンボスは、前記第１内側パネルの前記第１外側パネルとは反対側に突出して形成されることを特徴とする。
【００１１】
請求項４に記載の発明は、請求項２に記載の額縁付箱において、前記補強部が押罫からなり、
該押罫は、前記第１内側パネルの前記第１外側パネルとは反対側に突出して形成されることを特徴とする。
【００１２】
請求項５に記載の発明は、請求項１乃至４のいずれか１項に記載の額縁付箱において、前記第１外側パネルを裏面側から押し立てて前記第１二重側面を形成する際に、前記第１外側パネルを前記第１折曲補助線にて前記底パネルに対して略直角に折り曲げやすくするための折曲補助片を備え、
該折曲補助片を前記切り欠き部の下方で、かつ、前記糊代パネルに連続して設けることを特徴とする。
【発明の効果】
【００１３】
請求項１に記載の発明によれば、略矩形の底パネルと、底パネルの左右両側にそれぞれ第１折曲補助線を介して連続して設けられる略矩形の第１外側パネルと、それぞれの第１外側パネルと第２折曲補助線を介して連続して設けられる略矩形の第１額縁パネルと、それぞれの第１額縁パネルと第３折曲補助線を介して連続して設けられる略矩形の第１内側パネルと、それぞれの第１内側パネルと第４折曲補助線を介して連続して設けられる略矩形の糊代パネルと、底パネルの前後両側にそれぞれ第５折曲補助線を介して連続して設けられる略矩形の第２外側パネルと、それぞれの第２外側パネルと第６折曲補助線を介して連続して設けられる略矩形の第２額縁パネルと、それぞれの第２額縁パネルと第７折曲補助線を介して連続して設けられる略矩形の第２内側パネルとを備え、第１額縁パネルを第２折曲補助線にて第１外側パネルに折り畳んだ後、糊代パネルを底パネルの第１折曲補助線近傍に貼着し、第１外側パネルを裏面側から押し立てることで、第１折曲補助線にて底パネルと第１外側パネルとが略直角に折り曲げられ、第３折曲補助線にて第１額縁パネルと第１内側パネルとが略直角に折り曲げられ、さらに、第４折曲補助線にて第１内側パネルと糊代パネルとが略直角に折り曲げられて一対の第１二重側面が形成され、続けて、第２外側パネルを第５折曲補助線にて底パネルに対して折り曲げて略直立させ、第２額縁パネルを第６折曲補助線にて第２外側パネルに対して略直角に折り曲げ、第２内側パネルを第７折曲補助線にて第２額縁パネルに対して略直角に折り曲げることで一対の第２二重側面が形成される額縁付箱において、第１二重側面を構成する第１内側パネルに、第４折曲補助線を切断するように切り欠き部を複数設ける。
【００１４】
したがって、第１内側パネルと糊代パネルとを連結する第４折曲補助線の長さを短くすることができる。すなわち、第４折曲補助線における第１内側パネルと糊代パネルとの間の折り曲げ強度を小さくすることができる。このため、第１二重側面を形成するにあたり、第１外側パネルを裏面側から押し立てようとしたとき、第１内側パネルと糊代パネルとを第４折曲補助線に沿って略直角に折り曲げやすくなり、第１二重側面を適切に形成することができる。したがって、組み立てが容易な額縁付箱を提供することができる。
【００１５】
さらに、請求項１に記載の発明によれば、切り欠き部の形状が、第４折曲補助線側にて幅が広く、第４折曲補助線から遠ざかるにつれて幅が狭くなるように構成されるので、第１内側パネルの強度を保ちつつ、第４折曲補助線における第１内側パネルと糊代パネルとの間の折り曲げ強度を小さくすることができる。
【００１６】
さらに、請求項１に記載の発明によれば、切り欠き部の、第４折曲補助線から最も遠い部分が円弧状に構成されるので、鋭角状に形成されるのに比べて切り欠き部にかかる力を分散することができる。
【００１７】
請求項２に記載の発明によれば、第１内側パネルの、隣接する切り欠き部の間に補強部を形成するので、第１二重側面を形成する際や、第１額縁パネルに上方から力が加えられたときなどに、第１内側パネルが撓むのを抑止することができる。
【００１８】
請求項３に記載の発明によれば、補強部が複数のエンボスからなり、エンボスは、第１内側パネルの第１外側パネルとは反対側に突出して形成されるので、工程を複雑にすることなく補強部を形成することができる。また、エンボスが、第１内側パネルの第１外側パネルとは反対側に突出して形成されることから、第１内側パネルが第１外側パネル側に撓むのを効果的に抑止することができる。
【００１９】
請求項４に記載の発明によれば、補強部が押罫からなり、押罫は、第１内側パネルの第１外側パネルとは反対側に突出して形成されるので、工程を複雑にすることなく補強部を形成することができる。また、押罫が、第１内側パネルの第１外側パネルとは反対側に突出して形成されることから、第１内側パネルが第１外側パネル側に撓むのを効果的に抑止することができる。
【００２０】
請求項５に記載の発明によれば、第１外側パネルを裏面側から押し立てて第１二重側面を形成する際に、第１外側パネルを第１折曲補助線にて底パネルに対して略直角に折り曲げやすくするための折曲補助片を備え、折曲補助片を切り欠き部の下方で、かつ、糊代パネルに連続して設ける。したがって、工程を複雑にすることなく第１外側パネルの折り曲げを容易にする折曲補助片を形成することができる。
【図面の簡単な説明】
【００２１】
【図１】この発明の一例の額縁付箱の斜視図である。
【図２】その展開図である。
【図３】（ａ）は図２の一部拡大図、（ｂ）は（ａ）のさらに部分拡大図、（ｃ）は（ａ）のＸ矢視断面図である。
【図４】（ａ），（ｂ）は額縁付箱を組み立てる手順を説明するための図である。
【図５】（ａ），（ｂ）は額縁付箱をさらに組み立てる手順を説明するための図である。
【図６】額縁付箱を組み立てた状態の一部拡大図である。
【図７】この発明の別の例を示す図である。
【発明を実施するための形態】
【００２２】
以下、図面を参照しつつ、本発明の実施の形態について説明する。図１には、この発明の額縁付箱の一例の斜視図を示す。額縁付箱１０は、矩形の底パネル１３を囲むようにして、一対の第１二重側面１１，１１と、一対の第２二重側面１２，１２などを備え、上部に開口を形成してなる。
【００２３】
図２には、額縁付箱１０の展開図を示す。額縁付箱１０を形成するためのブランク紙（ブランクシート）Ｂには、矩形の底パネル１３を備え、その底パネル１３の左右両辺（長辺）に、それぞれ第１折曲補助線（罫線）Ｌ１を介して連続して設けられる矩形の第１外側パネル１４、第１外側パネル１４と第２折曲補助線（罫線）Ｌ２を介して連続して設けられる略矩形の第１額縁パネル１５、それぞれの第１額縁パネル１５と第３折曲補助線（罫線）Ｌ３を介して連続して設けられる略矩形の第１内側パネル１６、それぞれの第１内側パネル１６と第４折曲補助線（罫線）Ｌ４を介して連続して設けられる略矩形の糊代パネル１７を備える。
【００２４】
また、底パネル１３の前後両辺（短辺）には、それぞれ第５折曲補助線（罫線）Ｌ５を介して連続して設けられる矩形の第２外側パネル２１、第２外側パネル２１と第６折曲補助線（罫線）Ｌ６を介して連続して設けられる略矩形の第２額縁パネル２２、それぞれの第２額縁パネル２２と第７折曲補助線（罫線）Ｌ７を介して連続して設けられる略矩形の第２内側パネル２３、第２内側パネル２３と第８折曲補助線（罫線）Ｌ８を介して連続して設けられる略矩形の延設パネル２４などを備える。
【００２５】
第１外側パネル１４の両短辺にそれぞれ第９折曲補助線（罫線）Ｌ９を介して連続してフラップパネル３１Ａ，３１Ｂを設ける。また、第１内側パネル１６の両短辺にそれぞれ第１０折曲補助線（罫線）Ｌ１０を介して連続してフラップパネル３２Ａ，３２Ｂを設ける。
【００２６】
また、第１額縁パネル１５の両端には矩形の張出部１５Ａ，１５Ｂを直角方向外側に張り出して設ける。この張出部１５Ａ，１５Ｂは、後述するように、額縁付箱１０を組み立てたとき、第２額縁パネル２２の両端２２Ａ，２２Ｂにそれぞれ重なりあうものである。なお、第１額縁パネル１５および第２額縁パネル２２の短辺方向の幅は略同一である。
【００２７】
さらに、第１内側パネル１６の（短辺側の）両端にはそれぞれ、段状の切り込み１６Ｃを設ける。一方、第２内側パネル２３の（短辺側の）両端にはそれぞれ、段状の突出部２３Ａ，２３Ｂを設ける。この突出部２３Ａ，２３Ｂは、後述するように、額縁付箱１０を組み立てたとき、切り込み１６Ｃが形成する間隙１６Ａ，１６Ｂに嵌り込み、第１二重側面１１と第２二重側面１２とを略直角に隣接させた状態でロックするためのものである。
【００２８】
第１内側パネル１６には、図３（ａ），（ｂ）に示すように、複数の切り欠き部Ｃを有する。この切り欠き部Ｃは、第４折曲補助線Ｌ４を切断するように一定間隔で設けられている。切り欠き部Ｃは、下端部の幅Ｗ１が上部の幅Ｗ２よりも広く形成されている。すなわち、切り欠き部Ｃの形状が、第４折曲補助線Ｌ４側にて幅が広く、第４折曲補助線Ｌ４から遠ざかるにつれて幅が狭くなるように構成される。そして、切り欠き部Ｃの、第４折曲補助線Ｌ４から最も遠い部分（頂部ＣＴ）が円弧状に構成される（なお、頂部ＣＴの頂点と第１内側パネル１６の上端との距離は適宜設定されるものとするが、例えば、第１内側パネル１６の高さが４ｃｍの場合には１ｃｍ程度とする）。
【００２９】
切り欠き部Ｃの下端部で、かつ、糊代パネル１７に隣接して折曲補助片１７Ａを備える。この折曲補助片１７Ａは、隣接する第４折曲補助線Ｌ４，Ｌ４の間に形成される仮想線ＶＬ４にその下端が配置される。また、両側は、第１内側パネル１６に隣接する。折曲補助片１７Ａと第１内側パネル１６との間は、切断されていて不連続である。折曲補助片１７Ａは、後述するように、第１外側パネル１４を裏面側から押し立てて第１二重側面１１を形成する際に、第１外側パネル１４を第１折曲補助線Ｌ１にて底パネル１３に対して略直角に折り曲げやすくするためのものである。なお、第１二重側面１１を形成した際、第１外側パネル１４と第１内側パネル１６とは、略同一高さとなる。
【００３０】
隣接する切り欠き部Ｃ，Ｃの間の第１内側パネル１６には、エンボス（補強部）Ｅを複数備える。エンボスＥは、図２において、裏側から表側に向けて（すなわち、第１内側パネル１６の第１外側パネル１４とは反対側に）略半球状に突出するように形成される（図３（ｃ））。これは、第１二重側面１１を形成する際に、第１内側パネル１６が第１外側パネル１４側に向かって撓むのを防止するためのものである。特に、第１内側パネル１６には、複数の切り欠き部Ｃが形成されていることから、撓みに対する抵抗力が弱くなっている。エンボスＥは、これを補強するために形成されるものである。
【００３１】
このように構成されたブランク紙Ｂを折り曲げて額縁付箱１０を形成するには、まず、左右の第１額縁パネル１５，１５をそれぞれ第２折曲補助線Ｌ２にて第１外側パネル１４に向けて折り畳む。このとき、第１額縁パネル１５に連接された第１内側パネル１６、第１内側パネル１６に連接された糊代パネル１７とフラップ３２Ａ，３２Ｂおよび折曲補助片１７Ａも同様に、第１外側パネル１４に向けて折り畳まれる。すると、図４（ａ）に示すように、糊代パネル１７が底パネル１３上で、かつ、第１折曲補助線Ｌ１近傍に重なる。また、折曲補助片１７Ａの上端は、第１折曲補助線Ｌ１よりわずかに底パネル１３側に配置される。このような状態で、糊代パネル１７に接着剤を塗布して底パネル１３と接着する。
【００３２】
次に、第１外側パネル１４を（図２にて）裏面側から押し上げる。すると、第１折曲補助線Ｌ１にて底パネル１３と第１外側パネル１４とが略直角に折り曲げられ、第３折曲補助線Ｌ３にて第１額縁パネル１５と第１内側パネル１６とが略直角に折り曲げられ、さらに、第４折曲補助線Ｌ４にて第１内側パネル１６と糊代パネル１７とが略直角に折り曲げられて第１二重側面１１が形成される。このような動作をブランク紙Ｂの左右に対して行い、一対の第１二重側面１１，１１を形成する（図４（ｂ））。
【００３３】
続けて、第１二重側面１１，１１のフラップ３１Ａ，３２Ａを内側に向けて、それぞれ第９折曲補助線Ｌ９、第１０折曲補助線Ｌ１０にて略直角に折り曲げる。なお、このとき、切り込み１６Ｃが段状に形成されているので、フラップ３２Ａ，３２Ｂと第１内側パネル１６との間には間隙１６Ａ，１６Ｂが形成される（図２参照）。そして、第２外側パネル２１を第５折曲補助線Ｌ５にて底パネル１３に対して折り曲げて略直立させる。さらに、第２額縁パネル２２を第６折曲補助線Ｌ６にて第２外側パネル２１に対して略直角に折り曲げる。このとき、第２額縁パネル２２の両端２２Ａ，２２Ｂは、それぞれ、第１額縁パネル１５の張出部１５Ａ，１５Ｂ上に載置される。
【００３４】
そして、第２内側パネル２３を第７折曲補助線Ｌ７にて第２額縁パネル２２に対して略直角に折り曲げ、突出部２３Ａ，２３Ｂを間隙１６Ａ，１６Ｂに挿入してロックする。さらに、延設パネル２４を第８折曲補助線Ｌ８にて第２内側パネル２３に対して谷折りに略直角に折り曲げることで第２二重側面１２が形成される（図５（ａ））。このような動作をブランク紙Ｂの前後に対して行い、一対の第２二重側面１２，１２を形成し、額縁付箱１０を完成させる（図５（ｂ））。なお、第２二重側面１２を形成した際、第２外側パネル２１と第２内側パネル２３とは、略同一高さとなる。また、第１二重側面１１と第２二重側面１２とは、突出部２３Ａ，２３Ｂと間隙１６Ａ，１６Ｂによってロックされて、略直角に隣接した状態を保持することができる。さらに、延設パネル２４は、底パネル１３と接着してもよい。
【００３５】
このようにして形成された額縁付箱１０では、図６に示すように、第１二重側面１１を構成する第１内側パネル１６と第１外側パネル１４とが一定の距離を隔てて略平行に直立して配置されている。第１内側パネル１６と第１外側パネル１４との距離は、第１額縁パネル１５の長辺間の距離Ｄ１、および、折曲補助片１７Ａの長辺間の距離Ｄ２と略等しい。このような状態では、折曲補助片１７Ａは、切り欠き部Ｃの下方に位置し、かつ、糊代パネル１７に連続して設けられている。
【００３６】
なお、第１内側パネル１６の切り欠き部Ｃ，Ｃ間に形成する補強部はエンボスＥに限定されるものではなく、たとえば、図７に示すように、押罫Ｋであってもよい。この例では、押罫Ｋは、切り欠き部Ｃの両側の縁に沿うように直線的に形成されている。また、押罫Ｋは、第１内側パネル１６の第１外側パネル１４とは反対側に突出するように（すなわち、額縁付箱を組み立てたときに、押罫Ｋが箱の内側に向けて張り出すように）形成される。このように形成することで、第１内側パネル１６が第１外側パネル１４側に向かって撓むのを防止することができる。
【００３７】
エンボスＥや押罫Ｋに代えて、切り欠き部Ｃ，Ｃ間の第１内側パネル１６に厚紙を貼り付けて、補強部としてもよい。なお、このときは、厚紙は、第１内側パネル１６上の、第４折曲補助線Ｌ４に到達しない程度の範囲に貼り付けるものとする。
ブランク紙Ｂは、一枚の厚紙を所定の形に切り抜いて形成したものである。額縁付箱１０を形成するものはブランク紙Ｂに限定されるものではなく、例えば、板紙、紙を主体とした複合シート、プラスチックシートなど一定の厚みを持った折り曲げ性にすぐれた材料（部材）で形成されてもよい。また、上述の隣接する各パネルは一体に形成されていることはいうまでもない。
【００３８】
なお、上述の例では、切り欠き部Ｃの形状を、第４折曲補助線Ｌ４側にて幅が広く、第４折曲補助線Ｌ４から遠ざかるにつれて幅が狭くなるように構成したが、この発明はこれに限定されるものではなく、第４折曲補助線Ｌ４を切断するように設けられていればどのような形状であってもよい。
【００３９】
また、切り欠き部Ｃの頂部ＣＴの形状は、円弧状に形成されることに限定されるものではない。好ましくは、頂部ＣＴは多角形状などで上に凸に形成されるとよい。
さらに、第１折曲補助線Ｌ１、第２折曲補助線Ｌ２、第３折曲補助線Ｌ３、第４折曲補助線Ｌ４、第５折曲補助線Ｌ５、第６折曲補助線Ｌ６、第７折曲補助線Ｌ７、第８折曲補助線Ｌ８、第９折曲補助線Ｌ９、第１０折曲補助線Ｌ１０は、罫線であることに限定されるものではなく、例えば、ハーフカットやミシン目であってもよい。
【符号の説明】
【００４０】
１０  額縁付箱
１１  第１二重側面
１２  第２二重側面
１３  底パネル
１４  第１外側パネル
１５  第１額縁パネル
１６  第１内側パネル
１７  糊代パネル
１７Ａ  折曲補助片
２１  第２外側パネル
２２  第２額縁パネル
２３  第２内側パネル
Ｃ  切り欠き部
Ｅ  エンボス（補強部）
Ｋ  押罫（補強部）
Ｌ１  第１折曲補助線
Ｌ２  第２折曲補助線
Ｌ３  第３折曲補助線
Ｌ４  第４折曲補助線
Ｌ５  第５折曲補助線
Ｌ６  第６折曲補助線
Ｌ７  第７折曲補助線
【図１】
0005673115.tif 000002
【図２】
0005673115.tif 000003
【図３】
0005673115.tif 000004
【図４】
0005673115.tif 000005
【図５】
0005673115.tif 000006
【図６】
0005673115.tif 000007
【図７】
0005673115.tif 000008